(57)【特許請求の範囲】
【請求項１】
遊技機の飾り体において、飾り体が表面に装飾隆起部材を備え、装飾隆起部材が、図柄印刷用シートと、図柄印刷用シートの表面側に印刷された印刷図柄と、印刷図柄の上に透視性を有する材料により形成された隆起部と、図柄印刷用シートの裏面側に設けられた糊層とで構成され、この糊層を介して飾り体の表面に貼着されてなり、図柄印刷用シートが、表面の一部に印刷図柄の無い部分を備え、この印刷図柄の無い部分が飾り体の内側からの光を装飾隆起部材の前方に透過させたことを特徴とする遊技機の飾り体。
【発明の詳細な説明】
【０００１】
【発明の属する技術分野】
本発明は、パチンコ機等の遊技機の飾り体、例えば、遊技機の遊技盤の盤面又は遊技機の前面に設けられる飾り体に関する。
【０００２】
【従来の技術】
パチンコ機等の遊技機には、様々な飾り体が設けられている。例えば、飾り体としては、遊技機の遊技盤の盤面に設けられる風車や様々な入賞口装置やセンタ飾りやランプ飾り等の飾り体や、遊技機の前面側に設けられる枠体前面飾りや皿装置やハンドルグリップ等の飾り体等がある。
【０００３】
従来、遊技盤の盤面に設けられる飾り体に、例えば、図１２に示すような平面状シール２０を貼着した図柄付きの飾り体がある。上記平面状シール２０は、ポリエチレンテレフタレート（ＰＥＴ）等の透視性合成樹脂より成る図柄印刷用シート２０ａの表面側に図柄２０ｂを印刷し、この図柄２０ｂの表面側をＰＥＴ等の透視性合成樹脂より成る保護シート２０ｃで覆って成るものである。図柄印刷用シート２０ａの裏面側には糊膜２０ｄが設けられており、剥離紙２０ｅより剥がして、上記糊膜２０ｄを介して上記飾り体に貼着される。
【０００４】
【発明が解決しようとする課題】
上記のような従来の遊技機の飾り体によれば、図柄付きの平面状シール２０による装飾が付与されるが、装飾性の高い飾り体とは言えない。
【０００５】
本発明は、上記課題に鑑み、上記遊技機の飾り体において、装飾性の高い飾り体を提供するものである。
【０００６】
【課題を解決するための手段】
本発明は、遊技機の飾り体において、飾り体が表面に装飾隆起部材を備え、装飾隆起部材が、図柄印刷用シートと、図柄印刷用シートの表面側に印刷された印刷図柄と、印刷図柄の上に透視性を有する材料により形成された隆起部と、図柄印刷用シートの裏面側に設けられた糊層とで構成され、この糊層を介して飾り体の表面に貼着されてなり、図柄印刷用シートが表面の一部に印刷図柄の無い部分を備え、この印刷図柄の無い部分が飾り体の内側からの光を装飾隆起部材の前方に透過させた。
【０００７】
【発明の実施の形態】
実施の形態１．
以下、本発明の実施の形態１を図に基づいて説明する。図１は本実施の形態１の飾り体が設けられる遊技盤を示す正面図、図２は飾り体に取付けられる装飾隆起部材としての立体隆起シールを示す断面図である。
【０００８】
図１において、１は遊技盤であり、この遊技盤の盤面１０上には、例えば、風車１２、普通入賞口装置１３、始動入賞口装置１４、変動入賞口装置１５、センタ飾り１６、サイドランプ飾り１７、ランプ飾り１８等の飾り体が設けられている。
【０００９】
図１において、２は装飾隆起部材としての立体隆起シールであり（図１において斜線部で示している部分）、これは、遊技盤１の盤面１０と対向する如く配置されるガラスや合成樹脂板のような透視性を有するパネルと対向する上記飾り体の表面（パネル側に近い面）、即ち、盤面１０を通過する遊技球が接触しない面に貼着される。
【００１０】
上記立体隆起シール２は、図２に示すように、例えば、図柄印刷用シート２ａと、この図柄印刷用シート２ａの表面側に印刷された印刷図柄２ｂと、図柄印刷用シート２ａの裏面側に設けられた糊層２ｃと、上記印刷図柄２ｂの表面側に、この印刷図柄２ｂを被い、隆起するように設けられた隆起部２ｄとから成り、剥離紙２ｅより剥がして、上記糊層２ｃを介して上記飾り体の表面に貼着される。
【００１１】
上記隆起部２ｄは、例えば、上記印刷図柄２ｂの上に合成樹脂と硬化剤を垂らして隆起するように形成すればよい。
【００１２】
また、上記隆起部２ｄは、例えば、軟質系塩化ビニール（ＰＶＣ），軟質系ポリウレタン（ＰＶＲ），ポリエチレンテレフタレート（ＰＥＴ）等の透視性合成樹脂で形成される。
【００１３】
図３は飾り体としての入賞口装置１３の表面１３ａに上記立体隆起シール２を貼着した例を示している。
図４は飾り体としてのサイドランプ飾り１７の表面１７ａに上記立体隆起シール２を貼着した例を示している。
【００１４】
図４において、４０はランプやＬＥＤ等の光源であり、この場合、上記立体隆起シール２としては、光源４０の光が遊技者側に透過するように、印刷図柄２ｂの無い部分２ｎを設けた立体隆起シール２を用いる。
【００１５】
尚、図３，４に示すように、飾り体の表面側においては、立体隆起シール２を貼着する表面１３ａ，１７ａの中央側は、周縁１３ｂ，１７ｂより窪ませた形状とすることにより、立体隆起シール２の周りを周縁１３ｂ，１７ｂで飾ることができ、より装飾性の高い飾り体が得られる。
【００１６】
図５は立体隆起シール２を飾り体の表面側に取付ける場合において、糊層２ｃによる貼着に加えて、飾り体の表面側の端部１３Ａで立体隆起シール２の端部を挟みつけるようにして立体隆起シール２を取付ける態様を示している。尚、図５（ａ）は飾り体を表面側（遊技者側）から見た図、図５（ｂ）は図５（ａ）のＡ−Ａ断面図である。この場合、上記周縁１３ｂは、表面側（遊技者側）に、上記飾り体の表面１３ａに対向して立体隆起シール２の端部の表面側を抑える抑え片１３ｃを有し、立体隆起シール２を取付ける時には、図５（ｂ）に示すように、指で立体隆起シール２を撓ませて、端部を、飾り体の表面１３ａと抑え片１３ｃとの間に挿入し、その後に押圧して飾り体の表面１３ａに立体隆起シール２を貼着する。
尚、図５では、立体隆起シール２の上下端部２ｈ，２ｉの表面側を抑える抑え片１３ｃを設けた例を示しているが、立体隆起シール２の左右両端部の表面側を抑える抑え片を設けるようにしてもよい。
図５のように構成した場合、立体隆起シール２をしっかりと取付けることができ、立体隆起シール２の端部がはがれた場合でも、見栄えを維持でき、立体隆起シール２による装飾効果を長く維持できる飾り体が得られる。
【００１７】
また、遊技者側から見える上記抑え片１３ｃの表面側の形状に装飾性を持たせるようにしてもよい。これによれば、外形が例えば四角形や丸形等の定形的な立体隆起シール２を用いて、遊技者側から見える立体隆起シール２の外形を様々な形状に見せることができる。例えば図６に示すように、上記抑え片１３ｃの表面側の形状を、波打つような形状１３０とすれば、遊技者側から見える立体隆起シール２の上下端側が波打つような形状に見える。従って、外形が定形的な立体隆起シール２を用いて、遊技者側から見える立体隆起シール２の形状を様々な形状に設定でき、より装飾性の高い飾り体が得られる。
【００１８】
図３や図４の場合においても、遊技者側から見える上記周縁１３ｂ，１７ｂの形状（つまり、表面１３ａ，１７ａの外形形状）を様々な形状にすることで、飾り体の表面側により装飾性を持たせることができるが、この場合、表面１３ａ，１７ａの外形形状に合せた外形形状の立体隆起シール２を用いなくてはならない。しかし、このような立体隆起シール２は、外形が定形的な立体隆起シール２を製作するよりコストがかかる。また、表面１３ａ，１７ａの外形形状に合せた外形形状の立体隆起シール２を正確に表面１３ａ，１７ａ内に貼着するのは難しく、飾り体の仕上がりにバラツキがでてしまう。また、表面１３ａ，１７ａの外形形状に合せた外形形状の立体隆起シール２が正確に表面１３ａ，１７ａ内に貼着されずに当該表面１３ａ，１７ａ内からはみ出すように貼着されたりして、見栄えが悪い飾り体になってしまう。これらの問題は、周縁１３ｂ，１７ｂが無い場合でも同様に生じる。即ち、周縁１３ｂ，１７ｂが無い場合でも、立体隆起シールの上下側を例えば図６のように波打つような形状１３０にしたいとすれば、遊技者側から見える立体隆起シール２の上下端側が波打つような形状１３０に見える立体隆起シール２を製作しなくてはならず、また、このように製作した立体隆起シール２を飾り体の表面における所定の位置に正確に貼着することも困難であり、飾り体の仕上がりにバラツキがでてしまうし、見栄えが悪い飾り体となってしまう場合がある。
【００１９】
これに対して、図６の場合は、立体隆起シール２の外形を表面１３ａ，１７ａの外形形状に合せる必要がないので、立体隆起シール２の製作コストを安くできる。
また、立体隆起シール２を飾り体の表面における所定の位置に正確に貼着することが容易となり、飾り体の仕上がりにバラツキが生じにくく、一定の品質で見栄えの良い飾り体を効率良く得られる。
また、図６の場合は、遊技者側から見える上記抑え片１３ｃの表面側の形状に装飾性を持たせるようにした場合、上記抑え片１３ｃの表面側の形状（例えば波打つような形状１３０）と立体隆起シール２の隆起による相乗効果により、例えば図６に示すような波打つような形状１３０の抑え片１３ｃから切れ目なく自然に立体隆起シール２が隆起して遊技者側に飛び出すように見え、見栄えが良く、立体的な意匠効果が付与された、装飾性の高い飾り体となる。
【００２０】
図７は立体隆起シール２を飾り体１３の表面側に取付ける場合において、立体隆起シール２の裏面側（糊層２ｃ側）から図柄印刷用シート２ａに例えば十字状の切り込み凹部２ｒ（図７（ａ）参照）を形成しておくとともに、これに対応するように、飾り体の表面１３ａに十字状の凸部２ｔ（図７（ｂ）参照）を形成しておき、この凹凸嵌合と貼着とで取付けるようにした態様を示している。
尚、上記とは逆に、図柄印刷用シート２ａに十字状の凸部を形成しておくとともに、これに対応するように、飾り体の表面１３ａに十字状の切り込み凹部を形成しておいて、この凹凸嵌合と貼着とで取付けるようにしてもよい。
以上の場合、立体隆起シール２をしっかりと取付けることができ、また、凹凸嵌合により、飾り体１３の表面側の所定の位置に立体隆起シール２を正確に取付けることができるようになるので、一定の品質で見栄えが良く、立体的な意匠効果が付与された、装飾性の高い飾り体が得られる。
【００２１】
尚、立体隆起シール２を飾り体の表面側に取付ける場合において、糊層２ｃによる貼着に加えて、立体隆起シール２をねじ等で飾り体の表面側に取付けるようにしてもよい。
【００２２】
本実施の形態１によれば、飾り体の表面に立体隆起シール２を取付けて成るので、飾り体に立体的な意匠効果が付与された、装飾性の高い遊技機の遊技盤面に設けられる飾り体が得られる。
また、本実施の形態１による飾り体は、表面（パネル側に近い面）、即ち、盤面１０を通過する遊技球が接触しない面に立体隆起シール２を取付けて成るので、遊技球が接触することにより、立体隆起シール２がはがれたり、立体隆起シール２の表面に凹凸ができたりすることがないので、見栄えが劣化することがなく、長期間、優れた装飾性を維持できる遊技盤１を得ることができるようになる。
【００２３】
実施の形態２．
図８に示すように、遊技機の前面側に設けられる枠体前面飾り３１のトップランプ飾り３２や上皿装置３３や下皿装置３４やハンドルグリップ３５等の飾り体の面に、上記立体隆起シール２（図８において斜線で示している部分）を取付けることにより、飾り体に立体的な意匠効果が付与された、装飾性の高い遊技機の前面側に設けられる飾り体が得られる。
尚、本実施の形態２においても、図５〜図７に示した構成を採用することにより、図５〜図７の場合と同様な効果を有する遊技機の前面側に設けられる飾り体が得られる。
【００２４】
また、本発明によれば、次のような効果も得られる。以下説明する。
従来、例えば、飾り体としてのセンタ飾り１６は、図９，１０に示すように、複数の成形部品を組み合わせて構成されていた。例えば、第１の成形部品１６Ａの表面１６ａ側に、凹凸嵌合などで、図１１に示すような第２の成形部品１６Ｂを取付けることによりセンタ飾り１６を構成していた。しかし、第２の成形部品１６Ｂは第１の成形部品１６Ａと１セットで関連性を持ったものであり、このように複数の成形部品を組み合わせて構成されたセンタ飾り１６を、違う機種の遊技機に流用することはできない。
そこで、例えば、上記第１の成形部品１６Ａの表面１６ａに、上記第２の成形部品１６Ｂの代わりに、上記立体隆起シール２を取付けるようにすれば、第１の成形部品１６Ａを流用して趣の異なるセンタ飾りを構成できるので、第１の成形部品１６Ａを流用して違う機種の遊技機に用いることができるセンタ飾りが得られる。
即ち、第２の成形部品１６Ｂを不要とできるとともに、立体的な意匠効果が付与されて、装飾性が高く、かつ、第１の成形部品１６Ａを流用して違う機種の遊技機に用いることができるセンタ飾りが得られることから、センタ飾りの製造コストを低減でき、結果として遊技機のコストを低減できるセンタ飾り等の飾り体が得られることになる。
【００２５】
また、上記立体隆起シール２は貼着するだけなので、上述した効果を有する飾り体を容易に得られる。
【００２６】
また、立体隆起シール２は、印刷図柄２ｂ付きで、印刷図柄２ｂの表面側に隆起部２ｄが透視性合成樹脂で形成されていることから、遊技者は立体隆起シール２内の印刷図柄２ｂを目視できるので、印刷図柄２ｂにより装飾性を向上でき、見栄えも向上する飾り体が得られる。
【００２７】
また、立体隆起シール２として、印刷図柄２ｂの無い立体隆起シール２の隆起部２ｄの表面に図柄を貼り付けたり、図柄を描いたりしたものを用いてもよい。例えば、透視性を有しない材料で構された立体隆起シール２の隆起部２ｄの表面に図柄を貼り付けたり、図柄を描いたりしたものを用いてもよい。この場合でも、従来の飾り体に比べ、立体的意匠効果を有する装飾性の高い飾り体が得られる。
【００２８】
また、立体隆起シール２として、印刷図柄２ｂを有さず、透視性を有する材料で構成された立体隆起シールを用いてもよい。この場合でも、従来の飾り体に比べ、立体的意匠効果を有する装飾性の高い飾り体が得られる。
【００２９】
また、本発明では、上述した立体隆起シール２を用いずに、例えば、上記立体隆起シールのような形状のゴムやガラスや合成樹脂等より成る装飾隆起部材としての成形品等を接着剤等で飾り体に取付けるようにしてもよい。この場合でも、従来の飾り体に比べ、立体的意匠効果を有する装飾性の高い飾り体が得られる。
【００３０】
【発明の効果】
本発明によれば、飾り体が表面に貼着された装飾隆起部材の図柄印刷用シートが、表面の一部に印刷図柄の無い部分を備え、この印刷図柄の無い部分が飾り体の内側からの光を装飾隆起部材の前方に透過させたので、遊技者側に光を透過させることができる。
【図面の簡単な説明】
【図１】  本発明の実施の形態１による飾り体を備えた遊技盤の正面図である。
【図２】  本発明の実施の形態１の飾り体に用いる立体隆起シールの構成を示す断面図である。
【図３】  本発明の実施の形態１による飾り体の一例を示す断面図である。
【図４】  本発明の実施の形態１による飾り体の一例を示す断面図である。
【図５】  本発明の実施の形態１による飾り体の一例を示す正面図及び断面図である。
【図６】  本発明の実施の形態１による飾り体の一例を示す正面図である。
【図７】  本発明の実施の形態１による飾り体に用いる立体隆起シールの一例を示す裏面図及び飾り体に対する立体隆起シールの取付け方を説明するための断面図である。
【図８】  本発明の実施の形態２による飾り体を備えた遊技機の斜視図である。
【図９】  本発明の他の例を説明するための従来の飾り体を示す正面図である。
【図１０】  図９のＡ−Ａ断面図である。
【図１１】  本発明の他の例を説明するための従来の飾り体の第２の成形部品の一例を示す斜視図である。
【図１２】  従来の飾り体に貼着される平面状シールの構造を示す断面図である。
【符号の説明】
１  遊技盤、２  立体隆起シール（装飾隆起部材）、２ｄ  隆起部、
１０  盤面、１３  入賞口装置（飾り体）、１７  サイドランプ飾り（飾り体）、３１  枠体前面飾り（飾り体）。
【図１】
0003665590.tif 000002
【図２】
0003665590.tif 000003
【図３】
0003665590.tif 000004
【図４】
0003665590.tif 000005
【図５】
0003665590.tif 000006
【図６】
0003665590.tif 000007
【図７】
0003665590.tif 000008
【図８】
0003665590.tif 000009
【図９】
0003665590.tif 000010
【図１０】
0003665590.tif 000011
【図１１】
0003665590.tif 000012
【図１２】
0003665590.tif 000013